(57)【要約】【課題】  ハウジングを金属製としたり、設置位置が金属であったりしても、ＩＣタグとリーダとの通信が正確に行われる付設マーカを得ること。【解決手段】  この付設マーカは、光学的に読取可能なコード２ａを表面に記載されたタイル２と、無線通信で通信可能なＩＣタグ３と、当該枠１ｐの開口部１ｂを介してコード２ａが露出する状態でタイル２およびＩＣタグ３を固定する金属製の枠１ｐと、枠１ｐに形成され開口部１ｂ周りの閉導電路を切断する絶縁部（間隙）１ｓとを備える。【選択図】  図３
2005345838.tif 000002
【特許請求の範囲】
【請求項１】
光学的に読取可能なコードを表面に記載された平板部材と、
無線通信で通信可能なＩＣタグと、
当該枠の開口部を介して上記コードが露出する状態で上記平板部材および上記ＩＣタグを固定する金属製の枠と、
上記枠に形成され上記開口部周りの閉導電路を切断する絶縁部と、
を備えることを特徴とする付設マーカ。
【請求項２】
無線通信で通信可能なＩＣタグと、
上記ＩＣタグの表面に記載され光学的に読取可能なコードと、
当該枠の開口部を介して上記コードが露出する状態で上記ＩＣタグを固定する金属製の枠と、
上記枠に形成され上記開口部周りの閉導電路を切断する絶縁部と、
を備えることを特徴とする付設マーカ。
【請求項３】
光学的に読取可能なコードを表面に記載された平板部材と、
無線通信で通信可能なＩＣタグと、
開口部を有する金属製の枠と、
上記枠に係合し、上記枠との間で、上記開口部を介して上記コードが露出する状態で上記平板部材および上記ＩＣタグを固定する金属製の台座と、
上記ＩＣタグと上記台座との間に挿入されたアモルファス金属を含む挿入部材と、
を備えることを特徴とする付設マーカ。
【請求項４】
前記枠は、当該枠の開口部周りの閉導電路を切断する絶縁部を有することを特徴とする請求項３記載の付設マーカ。
【請求項５】
前記ＩＣタグは、不揮発性の記憶手段を有し、
上記記憶手段は、前記コードに含まれる情報に対する更新情報を記憶すること、
を特徴とする請求項１から請求項４のいずれか１項記載の付設マーカ。
【請求項６】
前記ＩＣタグは、不揮発性の記憶手段を有し、
上記記憶手段は、当該付設マーカが付設される土地または施設について繰り返し発生する管理情報を蓄積すること、
を特徴とする請求項１から請求項４のいずれか１項記載の付設マーカ。
【発明の詳細な説明】
【技術分野】
【０００１】
本発明は、土地、施設などに付設される付設マーカに関するものである。
【背景技術】
【０００２】
従来から、土地の境界に境界杭が設置されることが多い。この境界杭の表面には、必要に応じて、管理番号や設置主などの管理情報が記載される。さらに、表面に二次元デジタルデータコードを記載した境界杭も提案されている（例えば特許文献１参照）。特許文献１では、境界杭の巡回管理において、境界杭の二次元デジタルデータコードから、会社名、管理番号、位置座標、隣接する境界杭の方向と距離、地番、埋設年月日などのデータが読み取られる。
【０００３】
【特許文献１】特開平９−１７９４９９号公報（要約、図２）
【発明の開示】
【発明が解決しようとする課題】
【０００４】
このような境界杭などの付設マーカにＩＣタグを内蔵させることを考えた場合、付設マーカの筐体自体またはその設置場所が金属であると、電気的および／または磁気的な遮蔽効果により、ＩＣタグとリーダとの通信が正確に行われない可能性がある。
【０００５】
本発明は、上記の問題に鑑みてなされたものであり、ハウジングを金属製としたり、設置位置が金属であったりしても、ＩＣタグとリーダとの通信が正確に行われる付設マーカを得ることを目的とする。
【課題を解決するための手段】
【０００６】
上記の課題を解決するために、本発明では、次のようにした。
【０００７】
本発明による付設マーカの１つは、光学的に読取可能なコードを表面に記載された平板部材と、無線通信で通信可能なＩＣタグと、当該枠の開口部を介してコードが露出する状態で平板部材およびＩＣタグを固定する金属製の枠と、枠に形成され開口部周りの閉導電路を切断する絶縁部とを備える
【０００８】
これにより、絶縁部が存在することで枠による電波の遮蔽効果が小さくなるため、平板部材にＩＣタグが隠れていたり、枠を金属製としたり、設置位置が金属であったりした場合でも、コードが光学的に読取可能であってかつＩＣタグとリーダとの通信が正確に行われる。
【０００９】
本発明による付設マーカの１つは、無線通信で通信可能なＩＣタグと、ＩＣタグの表面に記載され光学的に読取可能なコードと、当該枠の開口部を介してコードが露出する状態でＩＣタグを固定する金属製の枠と、枠に形成され開口部周りの閉導電路を切断する絶縁部とを備える。
【００１０】
これにより、絶縁部が存在することで枠による電波の遮蔽効果が小さくなるため、平板部材にＩＣタグが隠れていたり、枠を金属製としたり、設置位置が金属であったりした場合でも、コードが光学的に読取可能であってかつＩＣタグとリーダとの通信が正確に行われる。
【００１１】
本発明による付設マーカの１つは、光学的に読取可能なコードを表面に記載された平板部材と、無線通信で通信可能なＩＣタグと、開口部を有する金属製の枠と、枠に係合し、枠との間で、開口部を介してコードが露出する状態で平板部材およびＩＣタグを固定する金属製の台座と、ＩＣタグと台座との間に挿入されたアモルファス金属を含む挿入部材とを備える。
【００１２】
これにより、アモルファス金属がＩＣタグと金属製の台座との間に配置されることで台座による電波の吸収が小さくなるため、平板部材にＩＣタグが隠れていたり、枠を金属製としたり、設置位置が金属であったりした場合でも、コードが光学的に読取可能であってかつＩＣタグとリーダとの通信が正確に行われる。
【００１３】
また、本発明による付設マーカの１つは、上記発明の付設マーカに加え、枠に、当該枠の開口部周りの閉導電路を切断する絶縁部を有するものである。
【００１４】
これにより、絶縁部が存在することで枠による電波の遮蔽効果が小さくなるため、よりＩＣタグとリーダとの通信が正確に行われる。
【００１５】
また、本発明による付設マーカの１つは、上記発明の付設マーカのいずれかに加え、ＩＣタグを次のようにしたものである。ＩＣタグは、不揮発性の記憶手段を有する。その記憶手段は、コードに含まれる情報に対する更新情報を記憶する。
【００１６】
これにより、コードにおいて書換できない情報を保持するとともに、ＩＣタグにおいて書換可能な情報を保持することができる。このため、例えば、ある事柄について、初期値をコードとして記憶しておき、その後の事情に応じてその値が変化した場合には、その変化した後の値をＩＣタグに格納しておくことができる。これにより、付設マーカの設置場所にて、付設マーカからデータを読み取ることで、簡単にそのような値の変化を知ることができる。そのような事柄としては、例えば、付設マーカの設置位置の精密な座標値、付設マーカが付設される土地や施設の所有者、占有者、使用者などの情報が考えられる。
【００１７】
また、本発明による付設マーカの１つは、上記発明の付設マーカのいずれかに加え、ＩＣタグを次のようにしたものである。ＩＣタグは、不揮発性の記憶手段を有する。その記憶手段は、当該付設マーカが付設される土地または施設について繰り返し発生する管理情報を蓄積する。
【００１８】
これにより、付設マーカが付設される土地または施設について繰り返し発生する管理情報を、付設マーカの設置された現地にて確認することができるため、土地または施設の管理を簡単に行うことができる。この管理情報としては、例えば、巡回検査した日付情報が考えられる。
【発明の効果】
【００１９】
本発明によれば、ハウジングなどを金属製としたり、設置位置が金属であったりしても、コードが光学的に読取可能であってかつＩＣタグとリーダとの通信が正確に行われる付設マーカを得ることができる。
【発明を実施するための最良の形態】
【００２０】
以下、図に基づいて本発明の実施の形態を説明する。
【００２１】
実施の形態１．
図１は、本発明の実施の形態１に係る付設マーカを示す斜視図である。図２は、本発明の実施の形態１に係る付設マーカを示す透視図である。図３は、本発明の実施の形態１に係る付設マーカを示す分解斜視図である。
【００２２】
図１は、付設マーカを組み立てた状態を示している。図２に示すように、ハウジング１の内部にタイル２とＩＣタグ３が配置されており、図１に示すように、タイル２の表面に印刷された二次元コード２ａ（ここではＱＲコード（登録商標））が、ハウジング１の開口部１ｂを介して露出している。この付設マーカは、例えば、二次元コード２ａが露出するように、地面や壁などに埋設される。地面や壁などに埋設される場合には、コンクリートなどで固定すればよい。
【００２３】
ハウジング１は、側面がテーパー状であり内部が中空の略四角柱形状の金属製の構造物である。ハウジング１は、図３に示すように、枠１ｐと台座１ｑとからなる。
【００２４】
枠１ｐは、側面がテーパー状となっており略四角筒形状の金属製の部材である。枠１ｐの１角には、矢印を模した矢印凸部１ａが形成される。枠１ｐの開口部１ｂは、略四角柱状の中空部に延びている。このため、枠１ｐの底部は、頂部より肉厚となっている。中空部には、タイル２およびＩＣタグ３が配置される。開口部１ｂのサイズは、タイル２のサイズより小さくされており、開口部１ｂは、開口部１ｂを通ってタイル２がこの付設マーカから離脱しないようにしている。また、枠１ｐの底部には、図示せぬ４つの係合凸部が４隅に形成される。
【００２５】
台座１ｑは、略四角形の平板形状の金属製の部材である。台座１ｑの外形は、枠１ｐの底面の外形と略同一である。台座１ｑには、４つの係合孔が４隅に形成される。組立て時には、この係合孔に枠１ｐの図示せぬ係合凸部が係合され、枠１ｐと台座１ｑとの相対的な移動が規制される。また、接着剤、溶接、ロウ付けなどにより両者を互いに固定するようにしてもよい。
【００２６】
枠１ｐと台座１ｑとの間には、タイル２、ＩＣタグ３およびアモルファス金属層を含む挿入部材４が挟み込まれる。すなわち、組立て後では、枠１ｐ、タイル２、ＩＣタグ３、挿入部材４、台座１ｑの順番で、これらが配置される。
【００２７】
タイル２は、例えば２５ミリメートル角の陶磁器製のタイルである。タイル２の表面には、所定の情報をコーディングして得られた二次元コード２ａが印刷される。
【００２８】
ＩＣタグ３は、タイル２と略同サイズで２ミリ厚のＩＣタグであって、書込可能でかつ不揮発性の半導体メモリを有するＲＦＩＤタグである。ＩＣタグ３は、タイル２の裏側、つまり、タイル２と台座１ｑとの間に配置される。
【００２９】
挿入部材４は、略四角形で各辺が窪んだ平板状の部材であって、例えば、絶縁性の２枚のフィルムの間で、アモルファスの多数の小箔を平面状に隙間なく散在させたアモルファス層を形成させたものである。アモルファスとしては、電気シールド用のアモルファス合金を使用することができる。挿入部材４は、ＩＣタグ３の裏側、つまり、ＩＣタグ３と台座１ｑとの間に配置される。
【００３０】
図４は、実施の形態１におけるＩＣタグ３の電気的な構成を示すブロック図である。図４において、アンテナ１１は、リーダライタからの電波を感受するとともにリーダライタへ電波を放射するアンテナである。この実施の形態１では、アンテナ１１はＩＣタグ３に内蔵されているが、ＩＣタグ３の外部にアンテナを設けるようにしてもよい。例えば、付設マーカの外縁に沿って周回するように外部アンテナを設けるようにしてもよい。
【００３１】
また、制御回路１２は、リーダライタからの指令に応じて、ＲＯＭ１３やメモリ１４からデータを読み出したり、メモリ１４にデータを書き込んだりする回路である。
【００３２】
ＲＯＭ１３は、このＩＣタグ３の識別子１３ａなどを記憶した書換できないメモリである。メモリ１４は、書換可能な不揮発性の記憶手段としての半導体メモリであって、付設マーカの現在位置を示す位置情報１４ａ、設置日時、ＩＣタグ３へのアクセスのあった日時などのデータを記憶する。なお、位置情報の初期値は、コード２ａの位置情報と同じ値とされる。
【００３３】
次に、上記付設マーカに対するデータの読み書きについて説明する。
【００３４】
コード２ａは、ハウジング１の開口部１ｂを介して光学的に読み取られる。また、ＩＣタグ３内のデータは、電波または電磁波により、読み書きされる。コード２ａは、光学式のリーダにより読み取られ、ＩＣタグ３内のデータは、磁気結合式あるいはブルーツース（商標）などの通信方式に基づくリーダライタにより読み書きされる。
【００３５】
リーダライタがＩＣタグ３へアクセスする場合、この実施の形態１では、ＩＣタグ３と台座１ｑとの間にアモルファス金属層を含む挿入部材４が配置されているため、金属製の枠１ｐと台座１ｑによる、ＩＣタグ３に対する電波の遮蔽効果や吸収効果が低減される。このため、リーダライタとＩＣタグ３との通信が良好に確立される。
【００３６】
以上のように、上記実施の形態１に係る付設マーカは、光学的に読取可能なコード２ａを表面に記載された平板部材としてのタイル２と、無線通信で通信可能なＩＣタグ３と、開口部１ｂを有する金属製の枠１ｐと、枠１ｐに係合し、枠１ｐとの間で、開口部１ｂを介してコード２ａが露出する状態でタイル２およびＩＣタグ３を固定する金属製の台座１ｑと、ＩＣタグ３と台座１ｑとの間に挿入されたアモルファス金属を含む挿入部材４とを備える。
【００３７】
このように、アモルファス金属がＩＣタグ３と金属製の台座１ｑとの間に配置されることで、台座１ｑによる電波の吸収が小さくなるため、タイル２にＩＣタグ３が隠れていたり、枠１ｐを金属製としたり、設置位置が金属であったりした場合でも、コード２ａが光学的に読取可能であってかつＩＣタグ３とリーダとの通信が正確に行われる。
【００３８】
実施の形態２．
本発明の実施の形態２に係る付設マーカは、ハウジング１の枠１ｐの一部に間隙を設け平面方向の形状をＣ字状にしたものである。
【００３９】
図５は、本発明の実施の形態２に係る付設マーカを示す分解斜視図である。この実施の形態２におけるハウジング１の枠１ｐは、図５に示すように、開口部１ｂ周りの閉導電路を切断する絶縁部として間隙１ｓを有する。
【００４０】
なお、その他の構成については、実施の形態１のものと同様であるので、その説明を省略する。
【００４１】
以上のように、上記実施の形態２に係る付設マーカは、光学的に読取可能なコード２ａを表面に記載された平板部材であるタイル２と、無線通信で通信可能なＩＣタグ３と、枠１ｐの開口部を介してコード２ａが露出する状態でタイル２およびＩＣタグ３を固定する金属製の枠１ｐと、枠１ｐに形成され開口部１ｂ周りの閉導電路を切断する絶縁部としての間隙１ｓを備える。
【００４２】
このように、間隙１ｓが存在することで、開口部１ｂ周りに形成される閉導電路が切断されるため、枠１ｐによる遮蔽効果が減少し、リーダライタとＩＣタグとの通信を良好に行うことができる。
【００４３】
なお、上述の各実施の形態は、本発明の好適な例であるが、本発明は、これらに限定されるものではなく、本発明の要旨を逸脱しない範囲において、種々の変形、変更が可能である。
【００４４】
例えば、上記実施の形態１，２において、ハウジング１の外形は、上述したものに限定されず、用途に応じて変更可能である。
【００４５】
また、上記実施の形態１，２においては、タイル２に印刷する二次元コードとして、ＱＲコード（登録商標）を使用しているが、その代わり、他の種類の二次元コード（ＰＤＦ４１７、ＤａｔａＭａｔｒｉｘ、ＭａｘｉＣｏｄｅなど）を使用するようにしてもよい。
【００４６】
また、上記実施の形態２では、間隙１ｓを空隙としているが、間隙１ｓに絶縁性部材を配置するようにしてもよい。
【００４７】
また、上記実施の形態２では、間隙１ｓが１箇所であるが、間隙１ｓを少なくとも２箇所とし、複数の金属部材とそれらを接続し金属部材間の絶縁部を形成する絶縁性部材とを組合せて枠１ｐを実現するようにしてもよい。
【００４８】
また、上記実施の形態２では、実施の形態１における挿入部材４は特に必要ないが、ＩＣタグ３と台座１ｑとの間に挿入部材４を挿入するようにしてもよい。
【００４９】
また、上記各実施の形態において、ＩＣタグ内の書換可能な不揮発性の記憶手段には、二次元コードに含まれる情報に対する更新情報を記憶してもよい。これにより、コードにおいて書換できない情報を保持するとともに、ＩＣタグにおいて書換可能な情報を保持することができる。このため、例えば、ある事柄について、初期値をコードとして記憶しておき、その後の事情に応じてその値が変化した場合には、その変化した後の値をＩＣタグに格納しておくことができる。これにより、付設マーカの設置場所にて、付設マーカからデータを読み取ることで、簡単にそのような値の変化を知ることができる。そのような事柄としては、例えば、付設マーカの設置位置の精密な座標値、付設マーカが付設される土地や施設の所有者、占有者、使用者などの情報が考えられる。
【００５０】
また、上記各実施の形態において、ＩＣタグ内の書換可能な不揮発性の記憶手段には、当該付設マーカが付設される土地または施設について（定期的に）発生する管理情報を蓄積してもよい。これにより、付設マーカが付設される土地または施設についての定期的に発生する管理情報を、付設マーカの設置された現地にて確認することができるため、土地または施設の管理を簡単に行うことができる。この管理情報としては、例えば、巡回検査した日付情報、巡回検査した日付情報の履歴、施設の工事履歴などが考えられる。
【産業上の利用可能性】
【００５１】
本発明は、例えば、土地、施設などの管理情報を記憶させることで、土地、施設などの管理に適用可能である。
【図面の簡単な説明】
【００５２】
【図１】図１は、本発明の実施の形態１に係る付設マーカを示す斜視図である。
【図２】図２は、本発明の実施の形態１に係る付設マーカを示す透視図である。
【図３】図３は、本発明の実施の形態１に係る付設マーカを示す分解斜視図である。
【図４】図４は、実施の形態１におけるＩＣタグの電気的な構成を示すブロック図である。
【図５】図５は、本発明の実施の形態２に係る付設マーカを示す分解斜視図である。
【符号の説明】
【００５３】
１ｂ  開口部
１ｐ  枠
１ｑ  台座
１ｓ  間隙（絶縁部）
２  タイル（平板部材）
２ａ，３１ａ  コード
３，３１  ＩＣタグ
４  挿入部材
１４  メモリ（記憶手段）
【図１】
2005345838.tif 000003
【図２】
2005345838.tif 000004
【図３】
2005345838.tif 000005
【図４】
2005345838.tif 000006
【図５】
2005345838.tif 000007